(57)【特許請求の範囲】
【請求項１】
上部が開放され且つ濾過材が内蔵された濾過筒を上下に積層して構成し、 該濾過筒を介して原水を上向流または下向流として流動させて濾過して排出する自然濾過式浄水器用カートリッジにおいて、
中央に中空の供給管（１２、２２）を、底部に通孔（１１、２１）を、内周縁には原水を内側中央に案内するように誘導する案内突起（５０）を少なくとも１つ設ける上部濾過筒（１０）と、少なくとも１つの下部濾過筒（２０）をそれぞれ分離形成して底部濾過筒（３０）の上に順次積層して結合するが、前記上、下部濾過筒の中空の供給管（１２、２２）によって垂直の原水供給孔（４０）を設けることにより、原水が濾過筒の下部に供給されて上部へ移動しながら濾過されて排出されるようにすることを特徴とする、自然濾過式浄水器用カートリッジ。
【請求項２】
前記上部濾過筒（１０）、前記下部濾過筒（２０）および前記底部濾過筒（３０）の内、外側に接触する部位は、内、外側に下向き傾斜面（６１、６１’）（６２、６２’）を対応形成し、互いに挿入積層されるように接着結合することを特徴とする、請求項１に記載の自然濾過式浄水器用カートリッジ。
【請求項３】
上部が開放され且つ濾過材が内蔵された濾過筒を上下に積層して構成し、該濾過筒を介して原水を上向流または下向流として流動させて濾過して排出する自然濾過式浄水器用カートリッジにおいて、
中央に中空の供給管（１２、２２）を、底部に通孔（１１、２１）を、内周縁には原水を内側中央へ案内するように誘導する案内突起（５０）を少なくとも１つ設ける上部濾過筒（１０）と、少なくとも１つの下部濾過筒（２０）をそれぞれ分離形成して底部濾過筒（３０）の上に順次積層結合し、
前記上部濾過筒および前記下部濾過筒の内部に、濾過筒の内周面に密着して挿入される内筒（７０）を少なくとも１つ組み立てて構成するが、前記内筒の上端は内側に突出して原水を内側中央へ案内するように誘導する案内突起（７５）を形成し、前記上部濾過筒および前記下部濾過筒は中空の供給管（１２、２２）によって垂直の原水供給孔（４０）を形成することにより、原水が濾過筒の下部に供給されて上部へ移動しながら濾過されて排出されるようにすることを特徴とする、自然濾過式浄水器用カートリッジ。
【発明の詳細な説明】
【技術分野】
【０００１】
本発明は、濾過材の内蔵された濾過筒を上下に積層して構成し、この濾過筒を介して原水を移動させて濾過、排出する自然濾過式浄水器用カートリッジに係り、さらに詳しくは、 原水を供給する供給管を濾過筒の内部中央に垂直に設けることにより、原水が濾過筒の下部に供給されて下部から上部へ案内されながら濾過材によって濾過されて排出されるようにして濾過時間および濾過効率を極大化した、自然濾過式浄水器用カートリッジに関する。
【背景技術】
【０００２】
一般に、自然濾過式浄水器に設置されるカートリッジ３は、図１に示すように、原水筒１と浄水筒２との間に設置され、原水筒から自然落下する原水を濾過して浄水筒に収集する。
このようなカートリッジ３は、図２に示すように、上部外周縁に螺合部を有する上部濾過筒５と、少なくとも１つの下部濾過筒６とを積層結合して構成するが、前記各濾過筒の内部には活性炭や砂などの濾過材７を収納する。
この際、前記上部濾過筒５および前記下部濾過筒６の底面には多数の原水排出孔５ａ、６ａを穿設する。
このような従来のカートリッジは、上部濾過筒５および少なくとも１つの下部濾過筒６の各原水排出孔５ａ、６ａを介して原水を下方に自然落下するように移動させながら各濾過筒の濾過材７によって濾過する。
【０００３】
ところが、上述した従来のカートリッジは、原水が上部から下部へ自然落下して移動しながら濾過されるため、濾過時間が短く、濾過材との接触効率が悪くて全体的に濾過効率が低下するという問題点があった。
【０００４】
特に、前記原水が上部から下部へ自然落下しながら原水が濾過材を毎回同一の経路に沿って通過するか或いは濾過筒の内周面を通過することにより、原水が濾過材によって効果的に浄化されていない状態で落下供給される問題のため、浄化効率がさらに低下するという問題点があった。
【０００５】
勿論、前記図２のカートリッジとは異なり、原水を下部から上部へ移動させながら各濾過筒の濾過材によって濾過させる技術も提案されているが、この技術は原水を下部から上部に移動させて濾過するものに過ぎず、前述した従来の技術に比べて大幅に改善した濾過効率が得られないという問題点があった。
【発明の概要】
【発明が解決しようとする課題】
【０００６】
本発明は、前述した従来の技術の諸般問題点を解決するためになされたもので、その目的は、濾過材の内蔵された多数の濾過筒を上下に積層して構成するが、前記濾過筒の内部中央の供給管によって垂直の原水供給孔を形成することにより、原水が濾過筒の下部へ案内供給されて下部から上部へ移動しながら濾過されて排出されるようにした、 自然濾過式浄水器用カートリッジを提供することにある。
【０００７】
特に、原水が濾過筒の内周縁の案内突起によって内外側にジグザグ状に案内されながら上昇移動するので、濾過時間及び濾過材との接触効率を高めて濾過効率をさらに極大化することを目的とする。
【課題を解決するための手段】
【０００８】
本発明は、中央に中空の供給管を、底部に通孔を、内周縁には原水を内側中央へ案内するように誘導する案内突起を少なくとも１つ設ける上部濾過筒と、少なくとも１つの下部濾過筒をそれぞれ分離形成して底部濾過筒の上に順次積層して結合するが、前記上、下部濾過筒の中央供給管によって垂直の原水供給孔を形成することにより、原水が濾過筒の下部に供給されて上部へ移動しながら濾過されて排出されるようにすることにその特徴がある。
【０００９】
本発明は、前記上部濾過筒、前記下部濾過筒および前記底部濾過筒の内、外側に接触する部位は、内、外側に下向き傾斜面を対応形成し、互いに挿入積層されるように接着結合させることにその特徴がある。
【００１０】
本発明は、中央に中空の供給管を、底部に通孔を、内周縁には原水を内側中央へ案内するように誘導する案内突起を少なくとも１つ設ける上部濾過筒と、少なくとも１つの下部濾過筒をそれぞれ分離形成して底部濾過筒の上に順次積層結合し、前記上、下部濾過筒の内部に、濾過筒の内周面に密着して挿入される内筒を少なくとも１つ組み立てて構成するが、前記内筒の上端は内側に突出して原水を内側中央へ案内するように誘導する案内突起を形成し、前記上、下部濾過筒は中央供給管によって垂直の原水供給孔を形成することにより、原水が濾過筒の下部に供給されて上部へ移動しながら濾過されて排出されるようにすることにその特徴がある。
【発明の効果】
【００１１】
上述したような本発明は、濾過材の内蔵された多数の濾過筒を上下に積層して構成し、前記濾過筒の内部中央の供給管によって垂直の原水供給孔を設けることにより、原水が濾過筒の下部に案内供給されて下部から上部へ移動しながら濾過されて排出されるが、特に原水が濾過筒の内周縁の案内突起によって内外側にジグザグ状に案内されながら上昇移動するので、濾過時間および濾過材との接触効率を高めて濾過効率をさらに極大化することができるという効果がある。                                                                                                                                                                                                                                                                                                                                                                                                                                                                                                                                
【図面の簡単な説明】
【００１２】
【図１】自然濾過式浄水器を概略的に示す正面図である。
【図２】従来のカートリッジを示す断面図である。
【図３】本発明のカートリッジを示す断面図である。
【図４】本発明のカートリッジを示す平面図である。
【図５】図３の分解図である。
【図６】本発明の作動状態図である。
【図７】本発明の他の実施例を示す組立断面図である。
【図８】図７の分解図である。
【発明を実施するための形態】
【００１３】
以下に添付図面を参照しながら、本発明の好適な実施例を具体的に説明する。
【００１４】
すなわち、本発明の自然濾過式浄水器用カートリッジ１００は、図３〜図６に示すように、内部に各種濾過材６０を内蔵する、上部濾過筒１０、少なくとも１つの下部濾過筒２０および底部濾過筒３０を順次積層して結合するが、前記上部濾過筒１０および前記下部濾過筒２０の中央には、中空の供給管１２、２２が互いに積層連結されることにより、底部濾過筒３０へ原水を供給する原水供給孔４０を垂直に形成し、前記上部濾過筒１０および下部濾過筒２０の底部には原水を上昇案内する多数の通孔１１、２１を設け、これにより原水が下部から上部へ移動しながら濾過されて排出されるようにする。
また、前記上部濾過筒１０および前記下部濾過筒２０の内周縁には、原水を内側へ案内するように誘導する案内突起５０を少なくとも１つ突設する。
前記上部濾過筒１０、前記下部濾過筒２０および前記底部濾過筒３０の内部に収納される濾過材６０は、活性炭、砂、その他の材料などを収納するが、各濾過筒に同一またはそれぞれ異なる濾過材を収納することにより、多様な濾過効果を得ることができるように構成してもよい。
また、前記上部濾過筒１０の上部には、濾過された浄水が溢れて排出されるように多数の排出孔１５ａを有する上板１５が結合される。
前記上部濾過筒１０、下部濾過筒２０および底部濾過筒３０の内、外側に接触する部位は、内、外側に下向き傾斜面６１、６１’、６２、６２’を対応形成して互いに積層されるように接着結合する。
未説明符号としての２１０は、セラミックフィルター２００とカートリッジ１００の供給孔とを連結する連結管を示す。
次に、上述したように構成される本発明の作動および作用について説明する。
本発明は、内部に活性炭、砂、その他の材料の濾過材６０を収納する、上部濾過筒１０、少なくとも１つの下部濾過筒２０および底部濾過筒３０を熱融着などの方法で順次積層結合する。
この際、前記各濾過筒は、内、外側に接触する部位に対応して形成された下向き傾斜面６１、６１’、６２、６２’によって一定かつ強固に積層結合する。
このように組み立てられた本発明のカートリッジ１００は、図１に示すような自然濾過式浄水器に設置するが、セラミックフィルター２００によって１次濾過されて供給される原水を再び濾過する。
これをさらに具体的に説明すると、セラミックフィルター２００によって１次濾過供給された原水は、カートリッジ１００の内部中央の原水供給孔４０を介して最下部位置の底部濾過筒３０に落下供給される。
このように底部濾過筒３０へ供給された原水は、カートリッジの下部から上部へ移動しながら濾過過程を経る。
すなわち、原水は前記底部濾過筒３０から各濾過筒の底部の通孔１１、２１を介して下部濾過筒２０、上部濾過筒１０を順次経て上昇する。
この過程中に、前記原水は各濾過筒１０、２０、３０内の濾過材６０によって濾過過程を経る。
特に、前記上部濾過筒１０および前記下部濾過筒２０の内周縁に突設された案内突起５０によって、原水が従来のように濾過筒の内壁面に沿って上昇移動することを防止し、案内突起５０によって内側に案内されてジグザグ状に上昇移動するように案内されながら濾過時間をさらに長くするのはもとより、濾過材との接触効率を高めて濾過効率をさらに極大化することができる。
このようにして各濾過筒１０、２０、３０の下部から上部へ移動しながら濾過された浄水は、上部濾過筒１０の上板１５に設けられた排出孔１５ａを介して溢れて排出される。
一方、本発明は図７および図８に示すように異にして実施することができるが、これは、前述した好適な実施例と比較するとき、前記上部濾過筒１０および下部濾過筒２０の内部に濾過筒の内周面に密着して挿入される内筒７０を少なくとも１つ組み立てて構成するが、前記内筒の上端には内側に突出して原水を内側中央へ案内するように誘導する誘導突起７５を設ける。
すなわち、このような本発明の実施例は、前述した図３〜図５の実施例において、濾過筒の内周縁に一体に設けられる案内突起を別途の内筒に備えて濾過筒の内部に挿入するので、濾過筒の成形製作を簡便に提供しながら前述の案内突起による効果を得るのである。
前記内筒７０の案内突起７５は、リング状に内周縁に全体的に形成してもよく、図示してはいないが部分的に形成してもよい。
したがって、本発明は、上下に積層された多数の濾過筒において原水を下部から上部へ移動させながら原水を濾過筒または内筒の案内突起によって内外側へ移動案内することにより、濾過時間を最大化し、濾過材との接触効率を極大化して優れた浄水効率を提供することができる。
【符号の説明】
【００１５】
１０    上部濾過筒
２０    下部濾過筒
３０    底部濾過筒
６０    濾過材
１２、２２    供給管
４０    原水供給孔
１１、２１    通孔
５０、７５    案内突起
１５    排出孔
７０    内筒  
【図１】
0005414133.tif 000002
【図２】
0005414133.tif 000003
【図３】
0005414133.tif 000004
【図４】
0005414133.tif 000005
【図５】
0005414133.tif 000006
【図６】
0005414133.tif 000007
【図７】
0005414133.tif 000008
【図８】
0005414133.tif 000009